(57)【要約】【課題】視聴を停止した番組を最初から見直すのは、視聴者にとって煩わしいものであり、また、停止した位置から再生を開始する場合には、視聴者は、停止前までの番組のストーリーを忘れてしまうことが考えられる。【解決手段】番組再生装置は、記録媒体に格納された番組を再生する再生手段と、番組の視聴が中断された際に、中断したポイントを記録媒体に保存する中断ポイント記録手段と、視聴者が指示に応答して、番組の始めから、中断したポイントまでのダイジェストを生成するダイジェスト生成手段とを備える。【選択図】図２
2010080997.tif 000002
【特許請求の範囲】
【請求項１】
記録媒体に格納された番組の視聴を視聴者が中断した後、視聴者の指示に応答して、番組の始めから再生を中断したポイントまでのダイジェストを生成することを特徴とする番組再生装置。
【請求項２】
記録媒体に格納された番組を再生する再生手段と、
前記番組の視聴が中断された際に、中断したポイントを記録媒体に保存する中断ポイント記録手段と、
視聴者が指示に応答して、番組の始めから、前記中断したポイントまでのダイジェストを生成するダイジェスト生成手段とを備えたことを特徴とする番組再生装置。
【請求項３】
番組をネットワーク経由で端末に送信するサーバであって、記録媒体に格納された番組の視聴を視聴者が中断した後、視聴者の指示に応答して、番組の始めから再生を中断したポイントまでのダイジェストを生成することを特徴とする番組配信サーバ。
【請求項４】
コンピュータに、
記録媒体に格納された番組を再生する再生ステップと、
前記番組の視聴が中断された際に、中断したポイントを記録媒体に保存する中断ポイント記録ステップと、
視聴者が指示に応答して、番組の始めから、前記中断したポイントまでのダイジェストを生成するダイジェスト生成ステップとを実行させることを特徴とするプログラム。
【発明の詳細な説明】
【技術分野】
【０００１】
本発明は、録画した番組を再生したり、ネットワーク経由で受信した番組を再生したりする番組再生装置及び番組再生システムに関する。
【背景技術】
【０００２】
従来より、番組のダイジェストを生成する技術が知られている。例えば、特許文献１には、動画、静止画、テキスト、音声といったマルチメディアデータとそれらの再生タイミングデータからなるコンテンツからダイジェストを生成する技術が開示されている。
【０００３】
【特許文献１】特開２０００−２３５６５２号公報
【発明の開示】
【発明が解決しようとする課題】
【０００４】
ところで、視聴者が、録画した番組を再生したり、ネットワーク経由で受信した番組を再生したりしている途中で、何等かの理由で、視聴を停止してしまう場合が多々ある。
【０００５】
この場合、視聴者が再度視聴する場合、視聴を停止した番組を、通常再生や早送り再生等を駆使して最初から見直すか、停止した位置から再生を開始するなどが考えられる。
【０００６】
しかしながら、視聴を停止した番組を最初から見直すのは、視聴者にとって煩わしいものであり、また、停止した位置から再生を開始する場合には、視聴者は、停止前までの番組のストーリーを忘れてしまうことが考えられる。
【０００７】
そこで、本発明は、番組の視聴を途中で停止した場合であって、その後視聴を再開する場合、視聴者に番組の内容を思い出させることができる番組再生装置、及び、番組再生システムを提供することを目的とする。
【課題を解決するための手段】
【０００８】
本発明の第１の番組再生装置は、記録媒体に格納された番組の視聴を視聴者が中断した後、視聴者の指示に応答して、番組の始めから再生を中断したポイントまでのダイジェストを生成することを特徴とする。
【０００９】
本発明の第２の番組再生装置は、記録媒体に格納された番組を再生する再生手段と、前記番組の視聴が中断された際に、中断したポイントを記録媒体に保存する中断ポイント記録手段と、視聴者が指示に応答して、番組の始めから、前記中断したポイントまでのダイジェストを生成するダイジェスト生成手段とを備えたことを特徴とする。
【００１０】
本発明の番組配信サーバは、番組をネットワーク経由で端末に送信するサーバであって、記録媒体に格納された番組の視聴を視聴者が中断した後、視聴者の指示に応答して、番組の始めから再生を中断したポイントまでのダイジェストを生成することを特徴とする。
【００１１】
本発明のプログラムは、コンピュータに、記録媒体に格納された番組を再生する再生ステップと、前記番組の視聴が中断された際に、中断したポイントを記録媒体に保存する中断ポイント記録ステップと、視聴者が指示に応答して、番組の始めから、前記中断したポイントまでのダイジェストを生成するダイジェスト生成ステップとを実行させることを特徴とする。
【発明の効果】
【００１２】
本発明によれば、番組の視聴を途中で停止した場合であって、その後視聴を再開する場合、視聴者に番組の内容を思い出させることができる番組再生装置、及び、番組再生システムを提供することができる。
【発明を実施するための最良の形態】
【００１３】
以下、図面を参照して本発明を実施するための最良の形態について説明する。まず、実施の形態の概略を簡単に説明すると、本実施の形態の番組再生装置は、録画された番組の視聴を視聴者が再生停止の操作により中断した際、視聴者の指示に従って、番組の開始から再生停止ポイントまでのダイジェストを生成する。以下、詳細に説明する。
【００１４】
図１は、番組再生装置のブロック図である。図１を参照すると、番組再生装置１０は、再生手段１１と、中断ポイント記録手段１２と、ダイジェスト生成手段１３とを有する。これらの手段は、プログラムを実行することにより番組再生装置１０が論理的に備えるものである。
【００１５】
次に、本実施の形態の番組再生装置１０の動作を説明する。
【００１６】
図２は、本実施の形態の番組再生装置の動作を説明するためのフローチャートである。
【００１７】
図２を参照すると、再生手段１１は、録画する等、図示せぬ記録媒体に格納された番組を視聴者に指示に基づき再生し（ステップＳ１）、視聴者が何らかの都合で、視聴者の操作により、視聴を中断（停止）すると、中断ポイント記録手段１２は、中断したポイントを記録媒体に保存する（ステップＳ２）。
【００１８】
視聴者が、中断したポイント以降の番組を視聴する際、視聴者が指示をすると、ダイジェスト生成手段１３は、番組の始めから、ステップＳ２にて保存しておいた中断したポイントまでのダイジェストを生成する（ステップＳ３）。
【００１９】
ステップＳ３に引き続き、再生手段１１は、ステップＳ３にて生成したダイジェストを再生する（ステップＳ４）。
【００２０】
視聴者は、このダイジェストを見ることにより、中断ポイント前の番組の内容を把握することができ、その後視聴するであろう中断ポイント後の番組の理解を深めることができる。
【００２１】
なお、上述の実施の形態では、番組再生装置がダイジェスト生成手段を有していたが、番組をネットワーク経由で受信して視聴する、すなわち、番組がネットワーク上のサーバに格納されている場合には、ダイジェスト生成手段はそのサーバにあればよい。もちろんダイジェストは、ネットワーク経由で番組再生装置に配信される。
【図面の簡単な説明】
【００２２】
【図１】番組再生装置のブロック図である。
【図２】番組再生装置１０の動作を説明するためのフローチャートである。
【符号の説明】
【００２３】
１０  番組再生装置
１１  再生手段
１２  中断ポイント記録手段
１３  ダイジェスト生成手段
【図１】
2010080997.tif 000003
【図２】
2010080997.tif 000004